(57)【要約】【課題】大きな構造変更を行うことなく、ＳＴＰケーブルとＵＴＰケーブルとを置き換えることができるコネクタ構造を提供する。【解決手段】コネクタ構造は、ＵＴＰケーブル１０Ａの各電線１１に接続されるＵＴＰ接続端子２１Ａ、及びＵＴＰ接続端子２１Ａが収容される一対の収容部２６を有するＵＴＰ誘電体２２Ａを備えたＵＴＰコネクタ２０Ａと、ＳＴＰケーブル１０Ｂの各電線１１に接続されるＳＴＰ接続端子２１Ｂ、及びＳＴＰ接続端子２１Ｂが収容される一対の収容部２６を有するＳＴＰ誘電体２２Ｂを備えたＳＴＰコネクタ２０Ｂの、いずれかを選択使用する。ＵＴＰ誘電体２２Ａは、少なくとも一対の収容部２６を仕切る隔壁４３Ａが相対的に誘電率の高い材料で構成され、ＳＴＰ誘電体２２Ｂは、少なくとも隔壁４３Ｂが相対的に誘電率の低い材料で構成される。【選択図】図１３
2018063796.tif 000002
【特許請求の範囲】
【請求項１】
ＵＴＰケーブルの各電線に接続されるＵＴＰ接続端子、及び前記ＵＴＰ接続端子が収容される一対の収容部を有するＵＴＰ誘電体を備えたＵＴＰコネクタと、ＳＴＰケーブルの各電線に接続されるＳＴＰ接続端子、及び前記ＳＴＰ接続端子が収容される一対の収容部を有するＳＴＰ誘電体を備えたＳＴＰコネクタの、いずれかを選択使用するコネクタ構造であって、
前記ＵＴＰ誘電体は、少なくとも前記一対の収容部を仕切る隔壁が相対的に誘電率の高い材料で構成され、
前記ＳＴＰ誘電体は、少なくとも前記隔壁が相対的に誘電率の低い材料で構成されることを特徴とするコネクタ構造。
【請求項２】
前記隔壁が、前記ＵＴＰ誘電体及び前記ＳＴＰ誘電体のそれぞれの本体部に対して着脱可能となっている請求項１記載のコネクタ構造。
【発明の詳細な説明】
【技術分野】
【０００１】
本発明は、コネクタ構造に関する。
【背景技術】
【０００２】
従来より、複数本の電線を撚り合わせたツイストペアケーブルは、単なる平行線よりもノイズの影響を受けにくく、ノイズ輻射も少ないことから、車載ネットワーク等に好適に用いられている。ツイストペアケーブルには、ＳＴＰ（シールドツイストペア）ケーブルと、ＵＴＰ（アンシールドツイストペア）ケーブルとが知られている。このうち、ＳＴＰケーブルは電線の周囲がシールド導体で包囲されており、ノイズに対してより強い耐性を有している。
【０００３】
例えば、特許文献１には、ＳＴＰケーブルの端部に接続される内導体端子と、内導体端子を収容するインナーハウジング（誘電体）と、ＳＴＰケーブルのシールド導体に接続され、インナーハウジングを包囲するシールドシェルと、シールドシェルを収容するアウターハウジングとを備えたコネクタが開示されている。  
【０００４】
一方、特許文献２には、ＵＴＰケーブルの端部に接続される接続端子と、接続端子を収容する端子収容部を有するコネクタ本体（誘電体）とを備えたコネクタが開示されている。
【先行技術文献】
【特許文献】
【０００５】
【特許文献１】特許５３３３６３２号公報
【特許文献２】特許５０８７４８７号公報
【発明の概要】
【発明が解決しようとする課題】
【０００６】
特許文献１、２のコネクタは、ＵＴＰケーブルとＳＴＰケーブルの各電線がいずれも端子に接続され、各端子が誘電体に収容されるという共通の構成を含んでいる。この場合に、それぞれのコネクタにおける共通の構造部分を利用して、ＳＴＰケーブルからＵＴＰケーブルへと置き換えられ、あるいは、ＵＴＰケーブルからＳＴＰケーブルへと置き換えられるようになれば、金型設計が容易になり、コストを低減することができる。しかし、ＵＴＰケーブルとＳＴＰケーブルとの間には原則として互換性がなく、それぞれのインピーダンスが異なるという事情がある。
【０００７】
本発明は上記のような事情に基づいて完成されたものであって、大きな構造変更を行うことなく、ＳＴＰケーブルとＵＴＰケーブルとを置き換えることができるコネクタ構造を提供することを目的とする。
【課題を解決するための手段】
【０００８】
本発明は、ＵＴＰケーブルの各電線に接続されるＵＴＰ接続端子、及び前記ＵＴＰ接続端子が収容される一対の収容部を有するＵＴＰ誘電体を備えたＵＴＰコネクタと、ＳＴＰケーブルの各電線に接続されるＳＴＰ接続端子、及び前記ＳＴＰ接続端子が収容される一対の収容部を有するＳＴＰ誘電体を備えたＳＴＰコネクタの、いずれかを選択使用するコネクタ構造であって、前記ＵＴＰ誘電体は、少なくとも前記一対の収容部を仕切る隔壁が相対的に誘電率の高い材料で構成され、前記ＳＴＰ誘電体は、少なくとも前記隔壁が相対的に誘電率の低い材料で構成されるところに特徴を有する。
【発明の効果】
【０００９】
ＵＴＰ誘電体の少なくとも隔壁の材料が誘電率の高いものとなり、ＳＴＰ誘電体の少なくとも隔壁の材料が誘電率の低いものとなることにより、ＵＴＰケーブル側ではインピーダンスを相対的に小さくすることができ、ＳＴＰケーブル側ではインピーダンスを相対的に大きくすることができる。これにより、ＵＴＰ誘電体とＳＴＰ誘電体の構造を大きく変更しなくても、ＵＴＰケーブル側とＳＴＰケーブル側との間でインピーダンスを適切に調整することができ、両ケーブルを容易に置き換えることができる。
【図面の簡単な説明】
【００１０】
【図１】本発明の実施例１のＵＴＰコネクタの分解斜視図である。
【図２】ＵＴＰコネクタにおいて、隔壁と上側誘電体とを示す分解斜視図である。
【図３】図２における本体部を切断した図である。
【図４】ＵＴＰケーブルの各電線に接続されたＵＴＰ接続端子と上側誘電体とを示す分解斜視図である。
【図５】ＵＴＰケーブルの各電線に接続されたＵＴＰ接続端子が上側誘電体の収容部に収容された状態を示す斜視図である。
【図６】ＵＴＰ接続端子が収容された上側誘電体と下側誘電体とを示す分解斜視図である。
【図７】下側誘電体と上側誘電体とが合体状態に保持されたＵＴＰ誘電体の斜視図である。
【図８】ＵＴＰ誘電体とＵＴＰハウジングとを示す分解斜視図である。
【図９】ＵＴＰコネクタの斜視図である。
【図１０】ＵＴＰコネクタの側面視方向の断面図である。
【図１１】ＵＴＰコネクタの平面視方向の断面図である。
【図１２】ＵＴＰコネクタにおける上側誘電体の本体部の底面図である。
【図１３】ＳＴＰコネクタの分解斜視図である。
【図１４】ＳＴＰコネクタにおいて、隔壁と上側誘電体とを示す分解斜視図である。
【図１５】ＳＴＰケーブルの各電線に接続されたＳＴＰ接続端子と上側誘電体とを示す分解斜視図である。
【図１６】ＳＴＰケーブルの各電線に接続されたＳＴＰ接続端子が上側誘電体の収容部に収容された状態を示す斜視図である。
【図１７】ＳＴＰ接続端子が収容された上側誘電体と下側誘電体とを示す分解斜視図である。
【図１８】下側誘電体と上側誘電体とが合体状態に保持されたＳＴＰ誘電体の斜視図である。
【図１９】ＳＴＰ誘電体と上側外導体とを示す分解斜視図である。
【図２０】ＳＴＰ誘電体が上側外導体に支持された状態を示す斜視図である。
【図２１】ＳＴＰ誘電体が支持された上側外導体と下側外導体とを示す分解斜視図である。
【図２２】上側外導体と下側外導体とが合体状態に保持され、且つ、ＳＴＰケーブルのシールド導体に接続された外導体の斜視図である。
【図２３】ＳＴＰ誘電体が内包された外導体とＳＴＰハウジングとを示す分解斜視図である。
【図２４】ＳＴＰコネクタの側面視方向の断面図である。
【図２５】ＳＴＰコネクタにおける上側誘電体の本体部の底面図である。
【発明を実施するための形態】
【００１１】
本発明の好ましい形態を以下に示す。
前記隔壁が、前記ＵＴＰ誘電体及び前記ＳＴＰ誘電体のそれぞれの本体部に対して着脱可能となっているとよい。これによれば、隔壁の材料を変更するだけでインピーダンスを調整することができる。
【００１２】
＜実施例１＞
本発明の実施例１を図面に基づいて説明する。本実施例１のコネクタ構造は、車載通信ネットワークシステムに用いられるものであって、ＵＴＰケーブル１０Ａの端部に設けられるＵＴＰコネクタ２０Ａと、ＳＴＰケーブル１０Ｂの端部に設けられるＳＴＰコネクタ２０Ｂのいずれかを選択使用可能とされている。ＵＴＰコネクタ２０ＡとＳＴＰコネクタ２０Ｂとは互いに共通もしくは近似する構造部分を有しており、インピーダンスを調整しつつＵＴＰケーブル１０ＡとＳＴＰケーブル１０Ｂとの間の置き換えが可能となっている。
【００１３】
図１に示すように、ＵＴＰコネクタ２０Ａは、図示しない相手側ＵＴＰコネクタに嵌合され、ＵＴＰ接続端子２１Ａ、ＵＴＰ誘電体２２Ａ及びＵＴＰハウジング２３Ａを備える。図１３に示すように、ＳＴＰコネクタ２０Ｂは、図示しない相手側ＳＴＰコネクタに嵌合され、ＳＴＰ接続端子２１Ｂ、ＳＴＰ誘電体２２Ｂ、外導体２４Ｂ及びＳＴＰハウジング２３Ｂを備える。
【００１４】
［ＵＴＰケーブル］
図４に示すように、ＵＴＰケーブル１０Ａは、撚られた一対の電線１１と、各電線１１を包囲するシース１２とからなる。電線１１は、導体部分と導体部分を包囲する被覆部分とで構成されている。各電線１１の端部はシース１２から露出し、それぞれＵＴＰ接続端子２１Ａに接続される。
【００１５】
［ＵＴＰ接続端子］
ＵＴＰケーブル１０Ａの各電線１１に接続されるＵＴＰ接続端子２１Ａは、互いに同一の形状で構成されている。このＵＴＰ接続端子２１Ａは、ＵＴＰコネクタ２０Ａと相手側ＵＴＰコネクタとの嵌合時に、相手側ＵＴＰコネクタに設けられた図示しない雄タブに電気的に接続される。ＵＴＰ接続端子２１Ａは、導電性の金属板材を曲げ加工等して一体に形成され、全体として前後方向（図１１の左右方向）に細長い形状になっている。
【００１６】
ＵＴＰ接続端子２１Ａは、前端部に略角筒状の箱部２７を有し、後端部にオープンバレル状のバレル部２８を有している。箱部２７内には雄タブが挿入されて電気的に接続される。バレル部２８は、電線１１の導体部分及び被覆部分にそれぞれ電気的及び機械的に接続される。また、ＵＴＰ接続端子２１Ａは、箱部２７の一側から上方へ突出する図示しない突部を有している。なお、ＵＴＰケーブル１０Ａのシース１２の端部には、ＵＴＰ接続端子２１Ａとは別体の加締めリング２９が圧着して接続されている。
【００１７】
［ＵＴＰ誘電体］
ＵＴＰ誘電体２２Ａは合成樹脂製であって、後述する隔壁４３Ａ、４３Ｂを除いてＳＴＰ誘電体２２Ｂと同一の材料で構成され、上下に分割可能な上側誘電体３５と下側誘電体３６とからなる。なお、以下の説明において、図２〜図８は、組み付け手順を説明するものであって、上下方向の基準が図１とは逆になっている。
【００１８】
図２に示すように、上側誘電体３５は、本体部５３と、本体部５３に対して着脱可能な隔壁４３Ａとを有している。
隔壁４３Ａは、ＳＴＰ誘電体２２Ｂの後述する隔壁４３Ｂと比べて誘電率（比誘電率）の高い材料、例えば、液晶ポリマー（ＬＣＰ）によって構成されている。隔壁４３Ａは、前後方向に長い板状をなし、前後方向中央部に段差７４を有し、段差７４を介した略前半部が略後半部に対して若干厚肉に形成されている。隔壁４３Ａの前後両端部には、細片状のほぞ部７２が前後両方向に突出して設けられている。
【００１９】
本体部５３は、上端に位置する上壁３３と、左右両端に位置する左右一対の側壁４５と、前端に位置する前壁３２とからなる。
図１０に示すように、上壁３３の外面（上面）には、ＵＴＰハウジング２３Ａに係止可能なロック突起３７が設けられている。上壁３３の後端部には、加締めリング２９の上端部を逃がす上端逃がし孔５５が開口して設けられている。
【００２０】
図１２に示すように、上壁３３の内面（下面）には、隔壁４３Ａを位置決め状態で保持することが可能な左右一対の保持部４６が設けられている。各保持部４６は、上壁３３の内面前端部において前後方向に沿ったリブ状の形態とされ、嵌合溝３８を挟んで互いに平行に配置されている。各保持部４６の下面には、ＵＴＰ接続端子２１Ａの箱部２７に当接して箱部２７の前後位置を決める浅い凹み７６が設けられ、その凹み７６の後端部に、突部が挿入される凹部４４が開口して設けられている。
【００２１】
また、上壁３３の内面における嵌合溝３８の後方には、隔壁４３Ａの後端位置を規定するピン状の位置決め突起５２が設けられている。位置決め突起５２の前端には、断面略Ｕ字状のほぞ溝７３が上下方向（突出方向）の全高にわたって延出して設けられている。このほぞ溝７３は、前壁３２の後面において上下方向に延出するリブ状部分にも設けられている。嵌合溝３８は、両ほぞ溝７３によって前後位置が規定される。
【００２２】
隔壁４３Ａは、略前半部が嵌合溝３８に嵌合して両保持部４６間に挟持されるとともに、前後のほぞ部７２が対応するほぞ溝７３に嵌合して保持されることにより、本体部５３に取り付けられる。図４に示すように、上側誘電体３５には、隔壁４３Ａが本体部５３に取り付けられた状態で、隔壁４３Ａの左右両側に一対の収容部２６が形成される。各収容部２６には、図５に示すように、ＵＴＰ接続端子２１Ａが嵌合状態で収容され、収容されたＵＴＰ接続端子２１Ａは、隔壁４３Ａを挟んで互いに平行に配置される。
【００２３】
両側壁４５の外面には、前後一対ずつの角凹状の取付受部４１が設けられ、取付受部４１の奥面に、取付突起４２が設けられている。また、両側壁４５の外面には、前後の取付受部４１間に、位置決め凹所２５が下方に開口して設けられている。前壁３２には、左右一対のタブ挿入孔６９が開口して設けられ、タブ挿入孔６９には、雄タブが前方から位置決め状態で挿入される。
【００２４】
図６に示すように、下側誘電体３６は、前後方向に長い平板状の支持壁６７を有している。支持壁６７の左右両端には、前後一対ずつの門型枠状の取付片３９が上方に突出して設けられ、前後の取付片３９間に、板片状の位置決め突片３１が上方に突出して設けられている。図７に示すように、位置決め突片３１が位置決め凹所２５に嵌合して位置決めされるとともに、各取付片３９が取付受部４１に嵌合して取付突起４２に弾性的に係止されることにより、上側誘電体３５と下側誘電体３６とが合体状態に保持される。また、上側誘電体３５と下側誘電体３６とが合体状態になることで、隔壁４３Ａ及びＵＴＰ接続端子２１Ａの上方への抜け出しが規制され、隔壁４３Ａ及びＵＴＰ接続端子２１ＡがＵＴＰ誘電体２２Ａ内に保持される。
【００２５】
図１に示すように、支持壁６７の上面には、合体状態において各保持部４６と対向する位置に、左右一対の支持リブ７１が設けられ、両支持リブ７１間に、隔壁４３Ａの下端部が嵌合状態で挿入される。支持壁６７の後端部には、加締めリング２９の下端部を逃がす下端逃がし孔７７が開口して設けられている。
【００２６】
［ＵＴＰハウジング］
ＵＴＰハウジング２３Ａは合成樹脂製であって、図９に示すように、略角筒状のハウジング本体４７を有している。ハウジング本体４７の上面の幅方向中央部には、ロックアーム４８が突出して設けられている。ロックアーム４８は、ハウジング本体４７の上面前端部から後方へ片持ち状に延出する形態とされ、相手側ＵＴＰコネクタを弾性的に係止して、ＵＴＰコネクタ２０Ａと相手側ＵＴＰコネクタとを嵌合状態に保持する。ハウジング本体４７の内部には、挿入部４９が前後方向に貫通して設けられている。図１０に示すように、挿入部４９の内部には、ＵＴＰ誘電体２２Ａが嵌合可能とされている。挿入部４９の内壁の上面には、前方へ片持ち状に突出するランス５１が設けられている。ＵＴＰ誘電体２２Ａは、挿入部４９に後方から挿入され、ロック突起３７がランス５１を撓み変形させた後、ランス５１が復帰してロック突起３７を弾性的に係止することにより、ＵＴＰハウジング２３Ａに保持される。
【００２７】
［相手側ＵＴＰコネクタ］
相手側ＵＴＰコネクタは、詳述しないが、ＵＴＰハウジング２３Ａを内嵌可能な合成樹脂製のフード部を有し、フード部の内部に、左右一対の雄タブが突出して配置されている。また、相手側ＵＴＰコネクタは、図示しない回路基板に支持され、各雄タブは回路基板の導電部に電気的に接続される。
【００２８】
［ＳＴＰケーブル］
図１５に示すように、ＳＴＰケーブル１０Ｂは、撚られた一対の電線１１と、各電線１１を包囲してシールドする編組線等のシールド導体１３と、シールド導体１３を包囲するシース１２とからなる。各電線１１の端部及びシールド導体１３の端部は、シース１２から露出しており、このうち、シールド導体１３の端部は、折り返されてシース１２の外周側に被着される。そして、各電線１１の端部は、それぞれＳＴＰ接続端子２１Ｂに接続されるようになっている。
【００２９】
［ＳＴＰ接続端子］
ＳＴＰケーブル１０Ｂの各電線１１に接続されるＳＴＰ接続端子２１Ｂは、互いに同一の形状で構成される。このＳＴＰ接続端子２１Ｂは、ＳＴＰコネクタ２０Ｂと相手側ＳＴＰコネクタとの嵌合時に、相手側ＳＴＰコネクタに設けられた図示しない雄タブに接続される。また、ＳＴＰ接続端子２１Ｂは、ＵＴＰ接続端子２１Ａと同一に形状であって、ＵＴＰ接続端子２１Ａと同じ配置で、箱部２７、バレル部２８及び図示しない突部を有している。
【００３０】
［ＳＴＰ誘電体］
ＳＴＰ誘電体２２Ｂは合成樹脂製であって、上下に分割可能な上側誘電体３５と下側誘電体３６とからなる。ＳＴＰコネクタ２０Ｂには加締めリング２９が設けられず、ＳＴＰ誘電体２２Ｂは加締めリング２９を受ける構造を必要としないことから、ＵＴＰ誘電体２２Ａよりも前後寸法が短くなっている。なお、以下の説明において、図１４〜図２１は、組み付け手順を説明するものであって、上下方向の基準が図１３とは逆になっている。
【００３１】
図１４に示すように、上側誘電体３５は、本体部５３と、本体部５３に対して着脱可能な隔壁４３Ｂとを有している。
隔壁４３Ｂは、ＵＴＰ誘電体２２Ａの隔壁４３Ａと比べて誘電率（比誘電率）の低い材料、例えば、ポリプロピレン（ＰＰ）によって構成されている。この隔壁４３Ｂは、ＵＴＰ誘電体２２Ａの隔壁４３Ａと同一の形状であって、前後方向中央部に段差７４を有し、前後両方向に突出するほぞ部７２を有している。
【００３２】
本体部５３は、上端に位置する上壁３３と、左右両端に位置する左右一対の側壁４５と、前端に位置する前壁３２とからなる。
図２４に示すように、上壁３３の上面前端部には、外導体２４Ｂに対する上側位置決め突部５４が設けられている。図２５に示すように、上壁３３の内面（下面）は、ＵＴＰ誘電体２２Ａと実質的に同一の構造であって、嵌合溝３３の左右両側に保持部４６を有し、各保持部４６の下面には凹み７６が設けられ、凹み７６の後端部に凹部４４が開口して設けられている。また、嵌合溝３８の後方には位置決め突起５２が設けられ、位置決め突起５２の前面及び前壁３２の後面におけるリブ状部分には、ほぞ溝７３が対向して設けられている。ＳＴＰ誘電体２２Ｂの場合、位置決め突起５２は、上壁３３の内面後端部に設置されている。
隔壁４３Ｂは、略前半部が嵌合溝３８に嵌合して両保持部４６間に挟持されるとともに、前後のほぞ部７２が対応するほぞ溝７３に嵌合して保持される。図１５に示すように、上側誘電体３５には、隔壁４３Ｂの左右両側に一対の収容部２６が形成され、各収容部２６には、図１６に示すように、ＳＴＰ接続端子２１Ｂが嵌合状態で収容され、収容されたＳＴＰ接続端子２１Ｂは、隔壁４３Ｂを挟んで互いに平行に配置される。
両側壁４５は、前後両端部を残して切欠部７８として開放され、切欠部７８の前後方向中央部に、爪状の取付突起４２が突出して設けられている。切欠部７８は、上壁３３の左右両端にも開放されている。両側壁４５の前後両端部の外面には、外導体２４Ｂに対する係止突起７９が設けられている。前壁３２には、左右一対のタブ挿入孔６９が開口して設けられ、タブ挿入孔６９には、雄タブが前方から位置決め状態で挿入される。
【００３３】
図１７に示すように、下側誘電体３６は、平板状の支持壁６７と、支持壁６７の左右両端の前後方向中央部から起立する一対の取付片３９とからなる。取付片３９の内面には凹み部分が設けられている。図１８に示すように、取付片３９が切欠部７８に嵌合し、取付突起４２が取付片３９の凹み部分に弾性的に係止されることにより、上側誘電体３５と下側誘電体３６とが合体状態に保持される。上側誘電体３５と下側誘電体３６とが合体状態になることで、隔壁４３Ｂ及びＳＴＰ接続端子２１Ｂの上方への抜け出しが規制され、隔壁４３Ｂ及びＳＴＰ接続端子２１ＢがＳＴＰ誘電体２２Ｂ内に保持される。
【００３４】
図１３に示すように、支持壁６７の上面には、合体状態において各保持部４６と対向する位置に、左右一対の支持リブ７１が設けられ、両支持リブ７１間に、隔壁４３Ｂの下端部が嵌合状態で挿入される。図２４に示すように、支持壁６７の下面前端部には、外導体２４Ｂに対する下側位置決め突部８１が設けられている。
【００３５】
［外導体］
外導体２４Ｂは、導電金属製であって、上下に分割可能な上側外導体５６と下側外導体５７とからなる。図１９に示すように、上側外導体５６は、平面視略矩形の上側シェル部５８と、上側シェル部５８の後方に連なるオープンバレル状の上側バレル部５９とを有している。上側シェル部５８は、上側誘電体３５を上方から被覆するように配置される。図２２に示すように、上側シェル部５８の平板部分は、上面の幅方向中央部にロック突起３７を有し、ロック突起３７の前方に上側位置決め孔６１が開口して設けられている。また、図１９に示すように、上側シェル部５８は、平板部分の幅方向両端から垂下する前後一対ずつの係止片６２を有している。上側バレル部５９は、左右両側から前後方向に位置ずれして下方に突出する突片部分を有している。
【００３６】
図２１に示すように、下側外導体５７は、平面視略矩形の下側シェル部６３と、下側シェル部６３の後方に連なるオープンバレル状の下側バレル部６４とを有している。下側シェル部６３は、下側誘電体３６を下方から被覆するように配置される。そして、下側シェル部６３は、平板部分の左右両端から起立する側板部分を有し、側板部分の内面に、前後一対ずつの保持突起６５を有している。下側シェル部６３の平板部分の前端側には、下側位置決め孔６６が開口して設けられている。下側バレル部６４は、左右両側から前後方向に位置ずれして上方に突出する突片部分を有している。
【００３７】
［ＳＴＰハウジング］
ＳＴＰハウジング２３Ｂは合成樹脂製であって、図２３に示すように、略角筒状のハウジング本体４７を有している。ＳＴＰハウジング２３Ｂは、ＵＴＰハウジング２３Ａと同一の形状とされ、ＵＴＰハウジング２３Ａと同じ配置で、ロックアーム４８、挿入部４９及びランス５１を有している。図２４に示すように、ランス５１の係止相手は、上側外導体５６のロック突起３７である。
【００３８】
［相手側ＳＴＰコネクタ］
相手側ＳＴＰコネクタは、相手側ＵＴＰコネクタとほぼ同一の形状とされ、一対の雄端子を有している。各雄端子のピッチ幅は、相手側ＵＴＰコネクタの各雄端子のピッチ幅と同一に揃えられている。
【００３９】
［ＵＴＰコネクタの組み立て］
ＵＴＰコネクタ２０Ａの組み立てに際し、まずＵＴＰ接続端子２１Ａのバレル部２８がＵＴＰケーブル１０Ａの各電線１１の端部に圧着により接続される。
【００４０】
また、隔壁４３Ａが上側誘電体３５の嵌合溝３８に差し込まれ、前壁３２と位置決め突起５２との間に位置決め保持される（図２〜図４を参照）。
続いて、各ＵＴＰ接続端子２１Ａが隔壁４３Ａの両側に形成された収容部２６に収容される（図５を参照）。このとき、ＵＴＰ接続端子２１Ａは、突部を下向きにして収容部２６に収容され、突部は、凹部４４に挿入される。次いで、下側誘電体３６が上側誘電体３５に被せられ、取付片３９が取付突起４２に弾性的に係止されることにより、上側誘電体３５と下側誘電体３６とが合体状態に保持される（図６及び図７を参照）。
【００４１】
続いて、ＵＴＰ誘電体２２ＡがＵＴＰハウジング２３Ａの挿入部４９に後方から挿入される（図８及び図９を参照）。ＵＴＰ誘電体２２Ａが挿入部４９に正規挿入されると、ランス５１がＵＴＰ誘電体２２Ａのロック突起３７を弾性的に係止し、ＵＴＰ誘電体２２ＡがＵＴＰハウジング２３Ａに抜け止め状態に保持される（図１０を参照）。
【００４２】
［ＳＴＰコネクタの組み立て］
ＳＴＰコネクタ２０Ｂを組み立てる場合も、まずＳＴＰ接続端子２１Ｂのバレル部２８がＳＴＰケーブル１０Ｂの各電線１１の端部に圧着により接続される。また、隔壁４３Ｂが上側誘電体３５の嵌合溝３８に差し込まれ、前壁３２と位置決め突起５２との間に位置決め保持される（図１４及び図１５を参照）。
続いて、各ＳＴＰ接続端子２１Ｂが隔壁４３Ｂの両側に形成された収容部２６に収容される（図１６を参照）。このとき、ＳＴＰ接続端子２１Ｂは、突部を下向きにして収容部２６に収容され、突部は、凹部４４に挿入される。次いで、下側誘電体３６が上側誘電体３５に被せられ、取付片３９が取付突起４２に弾性的に係止されることにより、上側誘電体３５と下側誘電体３６とが合体状態に保持される（図１７及び図１８を参照）。
【００４３】
続いて、ＳＴＰ誘電体２２Ｂが上側外導体５６の上側シェル部５８に支持される（図１９及び図２０を参照）。位置決め突部５４が上側位置決め孔６１に嵌合することで、ＳＴＰ誘電体２２Ｂが上側外導体５６に位置決めされ、係止突起７９が係止片６２に係止されることによって、ＳＴＰ誘電体２２Ｂが上側外導体５６に保持される。次いで、上側バレル部５９がＳＴＰケーブル１０Ｂの外周側に露出するシールド導体１３に圧着により接続される。
【００４４】
その後、下側外導体５７がＳＴＰ誘電体２２Ｂを覆うようにして上側外導体５６に被せられる（図２１及び図２２を参照）。下側外導体５７の側板部分が係止片６２を外側から覆い、下側位置決め突部８１が下側位置決め孔６６に嵌合することで、ＳＴＰ誘電体２２Ｂが下側外導体５７に位置決めされ、保持突起６５が係止片６２の凹み部分に挿入係止されることにより、上側外導体５６及び下側外導体５７が合体状態に保持される。そして、下側バレル部６４がＳＴＰケーブル１０Ｂの外周側に露出するシールド導体１３に圧着により接続される。これにより、シールド導体１３が外導体２４Ｂに接続されるとともに、ＳＴＰ接続端子２１Ｂの周囲がＳＴＰ誘電体２２Ｂを介して外導体２４Ｂに包囲される。
【００４５】
続いて、ＳＴＰ誘電体２２Ｂを内包した外導体２４ＢがＳＴＰハウジング２３Ｂの挿入部４９に後方から挿入される（図２３及び図２４を参照）。外導体２４Ｂが挿入部４９に正規挿入されると、ランス５１が外導体２４Ｂのロック突起３７を弾性的に係止し、外導体２４ＢがＳＴＰハウジング２３Ｂに抜け止め状態に保持される。
【００４６】
［コネクタ嵌合］
ＵＴＰコネクタ２０Ａが相手側ＵＴＰコネクタに正規嵌合されると、各雄タブがタブ挿入孔６９を通して各ＵＴＰ接続端子２１Ａの箱部２７に挿入接続される。同様に、ＳＴＰコネクタ２０Ｂが相手側ＳＴＰコネクタに正規嵌合されると、各雄タブがタブ挿入孔６９を通して各ＳＴＰ接続端子２１Ｂの箱部２７に挿入接続される。ＳＴＰコネクタ２０Ｂの場合、外導体２４Ｂが相手側ＳＴＰコネクタに設けられた図示しないアース部に接続される。
【００４７】
［作用効果］
ＵＴＰ誘電体２２Ａ及びＳＴＰ誘電体２２Ｂが隔壁４３Ａ、４３Ｂを除いて同一の材料によって構成され、ＵＴＰ誘電体２２Ａの隔壁４３Ａが相対的に誘電率の高い材料で構成され、ＳＴＰ誘電体２２Ｂの隔壁４３Ｂが相対的に誘電率の低い材料で構成されるため、ＵＴＰ誘電体２２Ａ、ＳＴＰ誘電体２２Ｂ、ＵＴＰハウジング２３Ａ、ＳＴＰハウジング２３Ｂ、相手側ＵＴＰコネクタ及び相手側ＳＴＰコネクタの端子間ピッチを変更しなくても、インピーダンスを適切に調整することができ、ＵＴＰコネクタ２０ＡとＳＴＰコネクタ２０Ｂとの間の仕様変更を容易に行うことができる。
【００４８】
特に、ＵＴＰ接続端子２１ＡとＳＴＰ接続端子２１Ｂとが実質的に同一の形状とされるとともに、ＵＴＰハウジング２３ＡとＳＴＰハウジング２３Ｂとが実質的に同一の形状とされるため、これらを製造するに際し、複数種の金型を用意する必要がなく、コストを大幅に低減することができる。
【００４９】
＜他の実施例＞
他の実施例を簡単に説明する。
（１）実施例１では、隔壁のみが異なる材料で構成されていたが、本発明の場合、ＵＴＰ誘電体の全体が相対的に誘電率の高い材料で構成され、ＳＴＰ誘電体の全体が相対的に誘電率の低い材料で構成されるものであってもよい。また、ＵＴＰ誘電体の上側誘電体（隔壁を有する誘電体）が相対的に誘電率の高い材料で構成され、ＳＴＰ誘電体の上側誘電体（隔壁を有する誘電体）が相対的に誘電率の低い材料で構成されるものであってもよい。
（２）実施例１では、隔壁が本体部に着脱可能に設けられていたが、本発明の場合、隔壁が本体部に一体に設けられていてもよい。
（３）実施例１では、ＵＴＰ誘電体及びＳＴＰ誘電体がいずれも上下に分割可能とされていたが、本発明の場合、ＵＴＰ誘電体及びＳＴＰ誘電体の少なくとも一方が分割不能に一体に設けられていてもよい。なお、隔壁は、一体化された誘電体に後方からスライドして装着されるとよい。
（４）実施例１では、ＳＴＰコネクタの外導体が上下に分割可能とされていたが、本発明の場合、外導体が分割不能に一体に設けられていてもよい。
【符号の説明】
【００５０】
１０Ａ…ＵＴＰケーブル
１０Ｂ…ＳＴＰケーブル
１１…電線
２０Ａ…ＵＴＰコネクタ
２０Ｂ…ＳＴＰコネクタ
２１Ａ…ＵＴＰ接続端子
２１Ｂ…ＳＴＰ接続端子
２２Ａ…ＵＴＰ誘電体
２２Ｂ…ＳＴＰ誘電体
２４Ｂ…外導体
２６…収容部
２７…箱部
４３Ａ、４３Ｂ…隔壁 
【図１】
2018063796.tif 000003
【図２】
2018063796.tif 000004
【図３】
2018063796.tif 000005
【図４】
2018063796.tif 000006
【図５】
2018063796.tif 000007
【図６】
2018063796.tif 000008
【図７】
2018063796.tif 000009
【図８】
2018063796.tif 000010
【図９】
2018063796.tif 000011
【図１０】
2018063796.tif 000012
【図１１】
2018063796.tif 000013
【図１２】
2018063796.tif 000014
【図１３】
2018063796.tif 000015
【図１４】
2018063796.tif 000016
【図１５】
2018063796.tif 000017
【図１６】
2018063796.tif 000018
【図１７】
2018063796.tif 000019
【図１８】
2018063796.tif 000020
【図１９】
2018063796.tif 000021
【図２０】
2018063796.tif 000022
【図２１】
2018063796.tif 000023
【図２２】
2018063796.tif 000024
【図２３】
2018063796.tif 000025
【図２４】
2018063796.tif 000026
【図２５】
2018063796.tif 000027